Podtech/llm-jp-corpus-v4-ja_patent huggingface dataset:
【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
以下の式を有する化合物：
【化１】
2008500363.tif 000001
［式中、
R1およびR2は、互いに同じであっても異なっても良く、H、C1-C20 アルキル、シクロアルキル、アルケニル、アリール、アリールアルキルもしくはアルキルアリール、-CH2COR5、-CH2C(O)NR5、-C(O)R5または-CH2OR5であって、ハロゲン原子を含有していてもよく、ここで、R5は、C1-C12 アルキル基である、
R3およびR4は、互いに同じであっても異なっても良く、H、C1-C20 アルキル、シクロアルキル、アルケニル、アリール、アリールアルキルもしくはアルキルアリールである; 
ただし、R4が-(CH2)7CH3、R3がメチル、R1が-CH3の場合、R2は-CH2-CH=CH2でない、
さらに、R4が-CH3、R3がH、R1が-CH3の場合、R2は-CH3または-CH=C(CH3)CH2CH2CH=C(CH3)2でない］。
【請求項２】
R1およびR2が各々独立にC1-C12 アルキルである、請求項１の化合物。
【請求項３】
R1およびR2が各々-CH2-CH=CH2である、請求項２の化合物。
【請求項４】
R3およびR4が各々独立にC1-C12 アルキル基である、請求項１の化合物。
【請求項５】
R4がC1-C6 アルキル基である、請求項４の化合物。
【請求項６】
R4が-CH3である、請求項４の化合物。
【請求項７】
以下の構造を有する、請求項１の化合物。
【化２】
2008500363.tif 000002
【請求項８】
以下の構造を有する、請求項１の化合物。
【化３】
2008500363.tif 000003
【請求項９】
以下の構造を有する、請求項１の化合物。
【化４】
2008500363.tif 000004
【請求項１０】
以下の構造を有する、請求項１の化合物。
【化５】
2008500363.tif 000005
【請求項１１】
以下の構造を有する、請求項１の化合物。
【化６】
2008500363.tif 000006
【請求項１２】
医薬用希釈体および以下の式 IIの化合物を含む医薬組成物: 
【化７】
2008500363.tif 000007
［式中、
R5およびR6は、互いに同じであっても異なっても良く、H、C1-C20 アルキル、シクロアルキル、アルケニル、アリール、アリールアルキルもしくはアルキルアリール、-CH2COR9、-CH2C(O)NR9、-C(O)R9または-CH20R9であって、ハロゲン原子を含有していてもよく、ここでR9はC1-C12 アルキル基である; 
R7およびR8は、互いに同じであっても異なっても良く、H、C1-C20 アルキル、シクロアルキル、アルケニル、アリール、アリールアルキルまたはアルキルアリールである］。
【請求項１３】
以下の式 Iの化合物および医薬用希釈体を含む、請求項１２の医薬組成物：
【化８】
2008500363.tif 000008
［式中
R1およびR2は、互いに同じであっても異なっても良く、H、C1-C20 アルキル、シクロアルキル、アルケニル、アリール、アリールアルキルもしくはアルキルアリール、-CH2COR5、-CH2C(O)NR5、-C(O)R5または-CH2OR5であって、ハロゲン原子を含有していてもよく、ここで、R5は、C1-C12 アルキル基である、
R3およびR4は、互いに同じであっても異なっても良く、H、C1-C20 アルキル、シクロアルキル、アルケニル、アリール、アリールアルキルもしくはアルキルアリールである; 
ただし、R4が-(CH2)7CH3、R3がメチル、R1が-CH3の場合、R2は-CH2-CH=CH2でない、
さらに、R4が-CH3、R3がH、R1が-CH3の場合、R2は-CH3または-CH=C(CH3)CH2CH2CH=C(CH3)2でない］。
【請求項１４】
体重減少を誘導するための、請求項１２の医薬組成物。
【請求項１５】
CPT-1活性を刺激するための、請求項１２の医薬組成物。
【請求項１６】
ニューロペプチド Yの合成を阻害するための、請求項１２の医薬組成物。
【請求項１７】
脂肪酸合成酵素活性を阻害するための、請求項１２の医薬組成物。
【請求項１８】
癌を処置するための、請求項１２の医薬組成物。
【請求項１９】
癌細胞の増殖を予防するための、請求項１２の医薬組成物。
【請求項２０】
侵襲性微生物細胞の増殖を阻害するための、請求項１２の医薬組成物。
【手続補正２】
【補正対象書類名】明細書
【補正対象項目名】００３６
【補正方法】変更
【補正の内容】
【００３６】
本発明のある実施態様は、以下の一般式を有する化合物である：
【化２】
2008500363.tif 000009
［式中、
R1およびR2は、互いに同じであっても異なっても良く、H、C1-C20 アルキル、シクロアルキル、アルケニル、アリール、アリールアルキルもしくはアルキルアリール、-CH2COR5、-CH2C(O)NR5、-C(O)R5または-CH2OR5であり、ハロゲン原子を含有していてもよく、ここで、R5は、C1-C12 アルキル基である; 
R3およびR4は、互いに同じであっても異なっても良く、H、C1-C20 アルキル、シクロアルキル、アルケニル、アリール、アリールアルキルまたはアルキルアリールである; 
ただし、R4が-(CH2)7CH3、R3がメチル、R1が-CH3の場合、R2は-CH2-CH=CH2でない、
さらにR4が-CH3、R3がH、R1が-CH3の場合、R2は-CH3または-CH=C(CH3)CH2CH2CH=C(CH3)2でない］。
【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
以下を含む、錠剤経口剤形の薬学的製剤であって：
(a)約10mg〜約100mgの少なくとも1種の二環式アリール-イミダゾール酸不安定性プロトンポンプ阻害剤；
(b)約400mg〜約1400mgのNaHCO3;
(c)約2重量%〜約8重量%の崩壊剤；および
(d)約3重量%〜約10重量%の結合剤；
ここで絶食中の対象への錠剤の経口投与の際に、プロトンポンプ阻害剤のTmaxが、1日目の投与後、約45分以内に得られる、薬学的製剤。
【請求項２】
錠剤が、炭酸水素カリウム、炭酸ナトリウム、炭酸カルシウム、酸化マグネシウム、水酸化マグネシウム、炭酸マグネシウム、水酸化アルミニウム、およびそれらの混合物から選択される、制酸剤をさらに含み、かつ錠剤中に存在する制酸剤の総量が約10mEq〜約30mEqである、請求項2記載の薬学的製剤。
【請求項３】
炭酸水素ナトリウムが少なくとも約700mgの量で存在する、請求項1記載の薬学的製剤。
【請求項４】
崩壊剤が約3重量%〜約5重量%の量で存在する、請求項1記載の薬学的製剤。
【請求項５】
結合剤が約5重量%〜約8重量%の量で存在する、請求項1記載の薬学的製剤。
【請求項６】
対象への錠剤の投与の際に、プロトンポンプ阻害剤の初期の血清濃度が、対象への錠剤の経口投与後の約45分以内で約300ng/mlよりも高い、請求項1記載の薬学的製剤。
【請求項７】
本質的に以下からなる、請求項1記載の薬学的製剤：
(a)約20mgまたは約40mgの量の、オメプラゾール(omeprazole)、エソメプラゾール(esomeprazole)、もしくはランソプラゾール(lansoprazole)、またはそれらの塩；
(b)約700mg〜約1400mgのNaHCO3；
(c)約2重量%〜約8重量%の崩壊剤；
(d)約3重量%〜約10重量%の結合剤;ならびに
(e)約0.5重量%および約3重量%の滑沢剤。
【請求項８】
NaHCO3が約1100mg〜1400mgの量で存在し；崩壊剤がクロスカルメロースナトリウムであり、かつ約3重量%〜約5重量%の量で存在し；および結合剤がヒドロキシプロピルセルロースであり、かつ約5重量%〜約10重量%の量で存在する、請求項7記載の薬学的製剤であって、絶食中の対象への錠剤の経口投与の際に、プロトンポンプ阻害剤のTmaxが、1日目の投与後、約45分以内に得られる、薬学的製剤。
【請求項９】
以下を含む、カプセル剤形の薬学的製剤であって：
(a)約10mg〜約100mgの少なくとも1種の二環式アリール-イミダゾール酸不安定性プロトンポンプ阻害剤；
(b)約400mg〜約1400mgのNaHCO3；および
(c)約2重量%〜約5重量%の崩壊剤；
ここで絶食中の対象へのカプセルの経口投与の際に、プロトンポンプ阻害剤のTmaxが、1日目の投与後、約60分以内に得られる、薬学的製剤。
【請求項１０】
カプセルが、炭酸水素カリウム、炭酸ナトリウム、炭酸カルシウム、酸化マグネシウム、水酸化マグネシウム、炭酸マグネシウム、水酸化アルミニウム、およびそれらの混合物から選択される、制酸剤をさらに含み、かつカプセル中に存在する制酸剤の総量が約10mEq〜約30mEqである、請求項9記載の薬学的製剤。
【請求項１１】
炭酸水素ナトリウムが少なくとも約800mgの量で存在する、請求項9記載の薬学的製剤。
【請求項１２】
崩壊剤が約3重量%〜約5重量%の量で存在する、請求項9記載の薬学的製剤。
【請求項１３】
プロトンポンプ阻害剤の7日目のTmaxが、対象へのカプセルの経口投与後約60分以内に得られる、請求項9記載の薬学的製剤。
【請求項１４】
本質的に以下からなる、請求項9記載の薬学的製剤：
(a)約20mgまたは約40mgの量の、オメプラゾールまたはその塩；
(b)約800mg〜約1400mgのNaHCO3；
(c)約2重量%〜約8重量%の崩壊剤；および
(e)約0.5重量%〜約3重量%の滑沢剤。
【請求項１５】
NaHCO3が約1000mg〜1300mgの量で存在し；および崩壊剤がクロスカルメロースナトリウムであり、かつ約3重量%〜約5重量%の量で存在する、請求項14記載の薬学的組成物であって、絶食中の対象へのカプセルの経口投与の際に、プロトンポンプ阻害剤のTmaxが、1日目の投与後、約60分以内に得られる、薬学的組成物。
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
粘性流体の特徴を示す非水性の疎水性ビヒクル、
該ビヒクル中に分散された生体分子を含んでなる乾燥粒子調製物、並びに
該ビヒクルに取り込まれた界面活性剤及び乾燥粒子調製物に取り込まれた界面活性剤
を含んでなる、埋め込み可能な送達装置により送達可能な懸濁調製物。
【請求項２】
疎水性ビヒクルが非ポリマーである、請求項１の懸濁調製物。
【請求項３】
疎水性ビヒクルが酢酸イソ酪酸スクロースを含んでなる、請求項２の懸濁調製物。
【請求項４】
生体分子がインターフェロンである、請求項１から３のいずれか１項記載の懸濁調製物。
【請求項５】
埋め込み可能な薬剤送達装置から少なくとも１カ月間にわたり１ｎｇ／日〜６００μｇ／日のインターフェロンが送達される、請求項４の懸濁調製物。
【請求項６】
生体分子がインターフェロンオメガである、請求項４の懸濁調製物。
【請求項７】
生体分子が界面活性剤とともに吹き付け乾燥される、請求項１から６のいずれか１項記載の懸濁調製物。
【請求項８】
乾燥粒子調製物が更に１種又は複数の安定剤及びバッファーを含んでなる、請求項１から７のいずれか１項記載の懸濁調製物。
【請求項９】
安定剤が炭水化物、抗酸化剤及びアミノ酸からなる群から選択される、請求項８の懸濁調製物。
【請求項１０】
疎水性ビヒクルが６０重量％を超える量で存在する、請求項１から９のいずれか１項記載の懸濁調製物。
【請求項１１】
乾燥粒子調製物が０．０１〜４０重量％の範囲内で存在する、請求項１から１０のいずれか１項記載の懸濁調製物。
【請求項１２】
乾燥粒子調製物中の界面活性剤が０．０１〜１０重量％の範囲内にある、請求項１から１１のいずれか１項記載の懸濁調製物。
【請求項１３】
ビヒクル中の界面活性剤が０．０１〜２０重量％の範囲内にある、請求項１から１２のいずれか１項記載の懸濁調製物。
【請求項１４】
インターフェロン、バッファー、界面活性剤並びに炭水化物、抗酸化剤及びアミノ酸からなる群から選択される１種又は複数の安定剤、を含んでなる乾燥粒子調製物。
【請求項１５】
吹き付け乾燥される、請求項１４の乾燥粒子調製物。
【請求項１６】
インターフェロンがインターフェロンオメガである、請求項１４または１５の乾燥粒子調製物。
【請求項１７】
インターフェロンが０．１〜９９．９重量％の範囲内の量で存在する、請求項１４から１６のいずれか１項記載の乾燥粒子調製物。
【請求項１８】
インターフェロンに対する各安定剤の重量比が０．１〜９９．９の範囲内にある、請求項１４から１７のいずれか１項記載の乾燥粒子調製物。
【請求項１９】
インターフェロンに対する各安定剤の重量比が０．５を超える、請求項１８の乾燥粒子調製物。
【請求項２０】
インターフェロンに対する炭水化物の重量比が１．０を超える、請求項１９の乾燥粒子調製物。
【請求項２１】
バッファーの濃度が５ｍＭ〜５０ｍＭの範囲内にある、請求項１４から２０のいずれか１項記載の乾燥粒子調製物。
【請求項２２】
バッファーのｐＨが５．０〜８．０の範囲内にある、請求項１４から２１のいずれか１項記載の乾燥粒子調製物。
【請求項２３】
インターフェロン、炭水化物、抗酸化剤及び／又はアミノ酸、バッファー及び界面活性剤が１：２：１：１．５〜２．５：０．０６の比率で存在する、請求項１４の乾燥粒子調製物。
【請求項２４】
インターフェロンがインターフェロンオメガであり、炭水化物がスクロースであり、抗酸化剤及び／又はアミノ酸がメチオニンであり、そしてバッファーがクエン酸塩である、請求項１４の乾燥粒子調製物。
【請求項２５】
界面活性剤が０．０１〜１０重量％の範囲内に存在する、請求項１４から２２のいずれか１項記載の乾燥粒子調製物。
【請求項２６】
界面活性剤が０．０１〜５重量％の範囲内で存在する、請求項２５の乾燥粒子調製物。
【請求項２７】
粘性の流体の特徴を示す非水性の疎水性ビヒクル、該ビヒクル中に分散されたインターフェロンを含んでなる乾燥粒子調製物を含んでなり、界面活性剤が該ビヒクル中に取り込まれており、また界面活性剤が乾燥粒子調製物に取り込まれている懸濁調製物、
並びに
少なくとも１カ月間にわたり使用環境中に治療的有効量のインターフェロンの連続的送達を提供するのに十分な量の懸濁調製物を含有するレザボア、
を含んでなる埋め込み可能な送達装置。
【請求項２８】
非水性の、非ポリマーの疎水性ビヒクル中にインターフェロンオメガの乾燥粒子調製物を懸濁させること、そして
乾燥粒子調製物に界面活性剤を取り込むこと、及び疎水性ビヒクルに界面活性剤を取り込むことを含んでなる、親水性放出速度媒質中へのインターフェロンオメガの放出を促進する方法。
【手続補正２】
【補正対象書類名】明細書
【補正対象項目名】００１３
【補正方法】変更
【補正の内容】
【００１３】
もう１つの態様において、本発明は非ポリマーの疎水性ビヒクル中にインターフェロンオメガの乾燥粒子調製物を懸濁させること、そして乾燥粒子調製物及び疎水性ビヒクルの少なくとも一方中に界面活性剤を取り込むことを含んでなる、親水性放出速度媒質中へのインターフェロンオメガの放出を促進する方法に関する。
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
式Ｉ：
【化１】
2008500327.tif 000001
（式中、R2+はアルカリ土類金属または亜鉛であり、そしてA-は陰イオンである）
の化合物またはその溶媒和物もしくは水和物。
【請求項２】
R2+はカルシウム、マグネシウム、ストロンチウム、バリウムおよび亜鉛から成る群から選ばれる、請求項１の化合物、またはその溶媒和物もしくは水和物。
【請求項３】
A-はヒドロキシドまたはR1CO2-であり、ここでR1は１から１２の炭素原子を有するアルキルまたはアリールである、請求項１の化合物、またはその溶媒和物もしくは水和物。
【請求項４】
R2+はカルシウムである、請求項２の化合物、またはその溶媒和物もしくは水和物。
【請求項５】
式Ｉ：
【化２】
2008500327.tif 000002
（式中、R2+はアルカリ土類金属または亜鉛であり、そしてA-は陰イオンである）
の化合物またはその溶媒和物もしくは水和物の結晶形態。
【請求項６】
式Ｉａ：
【化３】
2008500327.tif 000003
の化合物またはその溶媒和物もしくは水和物。
【請求項７】
式Ｉｂ：
【化４】
2008500327.tif 000004
の化合物またはその溶媒和物もしくは水和物、および
式Ｉｃ：
【化５】
2008500327.tif 000005
の化合物またはその溶媒和物もしくは水和物、
から成る群から選ばれる化合物。
【請求項８】
式Ｉａ：
【化６】
2008500327.tif 000006
の化合物またはその溶媒和物もしくは水和物の結晶形態。
【請求項９】
式Ｉ：
【化７】
2008500327.tif 000007
（式中、R2+はアルカリ土類金属または亜鉛、およびA-は陰イオンである）
の化合物またはその溶媒和物もしくは水和物を含有する医薬組成物。
【請求項１０】
式Ｉａ：
【化８】
2008500327.tif 000008
の化合物またはその溶媒和物もしくは水和物を含有する医薬組成物。
【請求項１１】
請求項１、５、６および７のいずれか１項に記載の化合物を含む、高脂血症、高コレステロール血症、骨粗鬆症、良性前立腺過形成、またはアルツハイマー病を治療するための医薬。
【請求項１２】
工程（ａ）：アトルバスタチンの遊離酸を溶媒に加えて溶液を調製する；
工程（ｂ）：１または複数の対イオンを溶媒に加えて溶液または懸濁液を調製する；および
工程（ｃ）：工程（ａ）からの溶液を攪拌しながら、工程（ｂ）からの溶液または懸濁液に加えてアトルバスタチンのモノアルカリ土類金属もしくは亜鉛塩を得る
を含む、
アトルバスタチンのモノアルカリ土類金属もしくは亜鉛塩、またはその溶媒和物もしくは水和物の製造方法。
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
ナトリウム利尿分子ＮＰＲ−Ａ結合部位と、少なくとも１つの修飾部分複合部位と、を含む生物活性ナトリウム利尿化合物と、
前記修飾部分複合部位に付着した少なくとも１つの修飾部分と、
を含むナトリウム利尿化合物複合体であって、
前記ナトリウム利尿化合物複合体が、対応する非複合ナトリウム利尿化合物に対して酵素分解に対する耐性の増大、循環半減期の増大、バイオアベイラビリティの増大、および効果の持続期間の延長から成る群から選択される１つもしくはそれ以上の利点を示す、ナトリウム利尿化合物複合体。
【請求項２】
前記ナトリウム利尿化合物が、ペプチド、もしくは脳ナトリウム利尿ペプチドの生物活性ペプチド断片、心房性ナトリウム利尿ペプチド、Ｃ型ナトリウム利尿ペプチド、またはデンドロアスピス（ｄｅｎｄｒｏａｓｐｉｓ）ナトリウム利尿ペプチドを含む、請求項１に記載のナトリウム利尿化合物複合体。
【請求項３】
前記ナトリウム利尿化合物が、Ｌｙｓ３Ａｒｇ、Ｌｙｓｌ４Ａｒｇ、Ａｒｇ３０Ｌｙｓ、Ｌｙｓ２７Ａｒｇ、およびＡｒｇ３１Ｌｙｓから成る群から選択される１つもしくはそれ以上の変異体を有する天然ｈＢＮＰ配列を含む、請求項１に記載のナトリウム利尿化合物複合体。
【請求項４】
前記ナトリウム利尿化合物が、１つもしくはそれ以上の挿入、欠失、または伸長を有する天然ｈＢＮＰ配列を含む、請求項１に記載のナトリウム利尿化合物複合体。
【請求項５】
前記修飾部分が、
【化１】
2008500375.tif 000001
［式中、各々のＣは、独立して選択され、ｍ個の炭素を有するアルキル部分であり、かつ、ｍは１、２、３、４、５、６、７、８、９、１０、１１、１２、１３、１４、１５、１６、１７、１８、１９、または２０であるとともに、
各々のＰＡＧは、独立して選択され、ｎ個のサブユニットを有するポリアルキレングリコール部分であり、かつ、ｎは１、２、３、４、５、６、７、８、９、１０、１１、１２、１３、１４、１５、１６、１７、１８、１９、２０、２１、２２、２３、２４、または２５であり、
各々Ｘは、独立して選択され、架橋部分である。］を有する、請求項１に記載のナトリウム利尿化合物複合体。
【請求項６】
前記修飾部分が、式
【化２】
2008500375.tif 000002
（式１Ａ）
を有する、請求項５に記載のナトリウム利尿化合物複合体。
【請求項７】
前記修飾部分が、式
【化３】
2008500375.tif 000003
（式１Ｂ）
を有する、請求項５に記載のナトリウム利尿化合物複合体。
【請求項８】
過剰なレベルの細胞外液の治療のための薬剤の製造における、請求項１ないし７のいずれに記載のナトリウム利尿化合物複合体の使用。
【請求項９】
前記修飾部分が、式
【化４】
2008500375.tif 000004
を有する、請求項１に記載のナトリウム利尿化合物複合体。
【請求項１０】
前記修飾部分が、式
【化５】
2008500375.tif 000005
を有する、請求項５に記載のナトリウム利尿化合物複合体。
【請求項１１】
前記修飾部分が、式
【化６】
2008500375.tif 000006
を有する、請求項１に記載のナトリウム利尿化合物複合体。
【請求項１２】
前記修飾部分が、式
【化７】
2008500375.tif 000007
を有する、請求項５に記載のナトリウム利尿化合物複合体。
【請求項１３】
前記修飾部分が、式
【化８】
2008500375.tif 000008
を有し、
かつ、前記ナトリウム利尿化合物がｈＢＮＰであり、前記修飾部分がＬｙｓ３で結合されるとともに、前記ナトリウム利尿化合物複合体がモノ複合体である、請求項５に記載のナトリウム利尿化合物複合体。
【請求項１４】
前記ナトリウム利尿化合物が、ｈＢＮＰである、請求項５ないし１３のいずれかに記載のナトリウム利尿化合物複合体。
【請求項１５】
前記ナトリウム利尿化合物が、ｈＢＮＰであり、前記修飾部分がＬｙｓ３で結合されており、かつ前記ナトリウム利尿化合物複合体が、モノ複合体である、請求項５ないし１３のいずれかに記載のナトリウム利尿化合物複合体。
【請求項１６】
上記請求項のいずれかに記載のナトリウム利尿化合物複合体および薬学的に許容される担体を含む、医薬組成物。
【請求項１７】
請求項５ないし１３に記載のナトリウム利尿化合物複合体を製造する方法であって、前記方法が前記修飾部分を前記ナトリウム利尿化合物に化学的に結合する工程を含む、方法。
【請求項１８】
上記請求項のいずれかに記載のナトリウム利尿化合物複合体の薬学的に純粋な組成物。
【請求項１９】
ｍが１であり、Ｘが−Ｏ−であり、ｎが４であり、Ｃが−ＣＨ３である、請求項５に記載のナトリウム利尿化合物複合体。
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
式(I)で表される化合物：
【化１】
2008500378.tif 000001
ならびにその塩および溶媒和物。
【請求項２】
(2R,3R,4S,5R,2'R,3'R,4'S,5'R)-2,2'-{トランス-1,4-シクロヘキサンジイルビス[イミノ(2-{[2-(1-メチル-1H-イミダゾール-4-イル)エチル]アミノ}-9H-プリン-6,9-ジイル)]}ビス[5-(2-エチル-2H-テトラゾール-5-イル)テトラヒドロ-3,4-フランジオール]ならびにその塩および溶媒和物。
【請求項３】
製薬上許容可能な塩の形態の(2R,3R,4S,5R,2'R,3'R,4'S,5'R)-2,2'-{トランス-1,4-シクロヘキサンジイルビス[イミノ(2-{[2-(1-メチル-1H-イミダゾール-4-イル)エチル]アミノ}-9H-プリン-6,9-ジイル)]}ビス[5-(2-エチル-2H-テトラゾール-5-イル)テトラヒドロ-3,4-フランジオール]。
【請求項４】
請求項1〜3のいずれか1項で定義した化合物またはその製薬上許容可能な塩もしくは溶媒和物を含み、場合により1種または複数の製薬上許容可能な希釈剤または担体を含む、医薬組成物。
【請求項５】
治療で使用するための請求項1〜3のいずれか1項で定義した化合物またはその製薬上許容可能な塩もしくは溶媒和物。
【請求項６】
炎症性疾患の治療で使用するための請求項1〜3のいずれか1項で定義した化合物またはその製薬上許容可能な塩もしくは溶媒和物。
【請求項７】
炎症性疾患の治療用医薬の製造における、請求項1〜3のいずれか1項で定義した化合物またはその製薬上許容可能な塩もしくは溶媒和物の使用。
【請求項８】
患者に、有効量の請求項1〜3のいずれか1項で定義した式(I)で表される化合物またはその製薬上許容可能な塩もしくは溶媒和物を投与することを含む、炎症性疾患の治療または予防方法。
【請求項９】
請求項1で定義した式(I)で表される化合物の調製方法であって、
(A) 式(II)：
【化２】
2008500378.tif 000002
(式中、Lは脱離基を表す)
で表される化合物またはその保護誘導体を、[2-(1-メチル-1H-イミダゾール-4-イル)エチル]アミンと反応させるステップ；または、
(B) 式(V)：
【化３】
2008500378.tif 000003
で表される化合物を、式(IV)：
【化４】
2008500378.tif 000004
で表される化合物またはその保護誘導体と反応させるステップ；あるいは、
(C) 式(I)で表される化合物の保護誘導体を脱保護するステップ
を含む、前記方法。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
ＩＣＥを阻害する化合物と薬学的に受容可能なキャリアを含む、被験体における自己炎症性疾患を緩和、処置、または予防するための薬学的組成物。
【請求項２】
被験体におけるクリオピリンが関係している周期性症候群、Ｍｕｃｋｌｅ−Ｗｅｌｌｓ症候群（ＭＷＳ）、家族性寒冷自己炎症性症候群（ＦＣＡＳ、家族性寒冷蕁麻疹すなわちＦＣＵとしても知られている）、家族性地中海熱（ＦＭＦ）、慢性乳児神経性皮膚および関節症候群（ＣＩＮＣＡＳ）（別名新生児期発症多臓器系炎症性疾患（ＮＯＭＩＤ））、ＴＮＦＲ１関連周期性症候群（ＴＲＡＰＳ）、高ＩｇＤ周期性発熱症候群（ＨＩＤＳ）、ブラウ症候群、全身発症性若年性突発性関節炎（スティル病）、またはマクロファージ活性化症候群を緩和、処置、または予防するための薬学的組成物であって、該組成物が、ＩＣＥを阻害する化合物と薬学的に受容可能なキャリアを含む、組成物。
【請求項３】
前記化合物が、ＷＯ００／５５１１４、ＷＯ００／５５１２７、ＷＯ００／６１５４２、ＷＯ００／６１５４２、ＷＯ０１／０５７７２、ＷＯ０１／１０３８３、ＷＯ０１／１６０９３、ＷＯ０１／４２２１６、ＷＯ０１／７２７０７、ＷＯ０１／９００７０、ＷＯ０１／９４３５１、米国特許公開番号２００３／００９２７０３、ＷＯ０２／０９４２６３、米国特許公開番号２００２／０１６９１７７、米国特許第６，１８４，２１０号、米国特許第６，１８４，２４４号、米国特許第６，１８７，７７１号、米国特許第６，１９７，７５０号、米国特許第６，２４２，４２２号、２００１年４月カリフォルニア州サンディエゴ（米国）での米国化学会（ＡＣＳ）会議、ＷＯ０２／２２６１１、米国特許公開番号２００２／００５８６３０、米国特許公開番号２００３／００９６７３７、ＷＯ９５／３５３０８、ＷＯ９７／２２６１９、ＷＯ９９／４７５４５、およびＷＯ０１／９００６３のいずれかに記載されている化合物である、請求項１または請求項２に記載の組成物。
【請求項４】
前記化合物が、ＷＯ９５／３５３０８、ＷＯ９７／２２６１９、ＷＯ９９／４７５４５、およびＷＯ０１／９００６３のいずれかに記載されている化合物である、請求項３に記載の組成物。
【請求項５】
前記化合物が以下および個々の立体異性体であり：
【化１】
2008500374.tif 000001
該化合物は、以下を含む：
【化２】
2008500374.tif 000002
請求項１に記載の組成物。
【請求項６】
前記化合物が以下および個々の立体異性体であり：
【化３】
2008500374.tif 000003
該化合物は、以下を含む：
【化４】
2008500374.tif 000004
請求項１に記載の組成物。
【請求項７】
前記化合物が以下および個々の立体異性体であり：
【化５】
2008500374.tif 000005
該化合物は、以下を含む：
【化６】
2008500374.tif 000006
請求項１に記載の組成物。
【請求項８】
前記化合物が以下および個々の立体異性体であり：
【化７】
2008500374.tif 000007
該化合物は、以下を含む：
【化８】
2008500374.tif 000008
請求項１に記載の組成物。
【請求項９】
被験体における自己炎症性疾患を緩和、処置、または予防するための化合物を同定するための組成物であって、該組成物が、ＩＣＥを阻害する化合物を含み、該組成物は、該被験体に投与され、該化合物での処置の前および後の該被験体におけるＩＣＥの阻害が比較される、組成物。
【請求項１０】
被験体における自己炎症性疾患を緩和、処置、または予防するための化合物を同定するための組成物であって、該組成物が、ＩＣＥを阻害する化合物を含み、該組成物は、該被験体に投与され、該化合物での処置の前および後の該被験体における該自己炎症性疾患についての生体マーカーが比較される、組成物。
【請求項１１】
前記生体マーカーは、インターロイキン−１β、インターロイキン−６、インターロイキン−８、インターロイキン−１８、血清アミロイドＡ、Ｃ反応性タンパク質、赤血球沈降速度（ＥＳＲ）、ハプトグロビン、ＴＮＦα、免疫グロブリン、フェリチン、白血球数、血小板数、およびヘモグロビンからなる群より選択される、請求項１０に記載の組成物。
【請求項１２】
前記化合物が、以下：
（ａ）１回の投与について約３００ｍｇ〜約２，４００ｍｇの間；
（ｂ）１回の投与について約６００ｍｇ〜約１，８００ｍｇの間；および
（ｃ）１回の投与について約９００ｍｇ
からなる群より選択される用量で前記被験体に投与されるのに適している、請求項１に記載の組成物。
【請求項１３】
前記化合物が、以下：
（ａ）１日あたり約２ｍｇ／ｋｇ体重〜約２００ｍｇ／ｋｇ体重の間；
（ｂ）１日あたり約６ｍｇ／ｋｇ体重〜約１００ｍｇ／ｋｇ体重の間；および
（ｃ）１日あたり約２５ｍｇ／ｋｇ体重〜約７５ｍｇ／ｋｇ体重の間
からなる群より選択される用量で前記被験体に投与されるのに適している、請求項１に記載の組成物。
【請求項１４】
自己炎症性疾患を有している被験体においてＩＬ−１β、ＩＬ−１８、または他の生体マーカーを減少させるための組成物であって、該組成物が、ＩＣＥを阻害する化合物を含む、組成物。
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
ノダル(nodal)および/またはミオスタチンの1つまたは複数に結合してこれを中和する、ミオスタチン結合ドメインを含むミオスタチンアンタゴニストタンパク質を含み、ヒト治療薬または獣医治療薬として投与するのに適切であるように発熱物質を実質的に含まず、かつミオスタチンアンタゴニストタンパク質が以下からなる群より選択される、薬学的調製物：
（i）ミオスタチン、GDF-11、および/またはノダルに結合するが、BMP-4には実質的に結合しないケルベロス(Cerberus)/ダン(Dan)/グレムリン(Gremlin)ポリペプチド誘導体、ならびに
（ii）（a）ミオスタチンと選択的に結合し、ALK7またはALK4受容体の結合と競合するポリペプチド親和性試薬と、（b）ケルベロス/ダン/グレムリンポリペプチドまたはその変種のミオスタチン結合ドメインとを含む、融合タンパク質。
【請求項２】
ミオスタチンアンタゴニストタンパク質が筋組織の成長を促進する、請求項1記載の薬学的調製物。
【請求項３】
誘導体が、SEQ ID NO:3と少なくとも85％同一なアミノ酸配列、またはSEQ ID NO:5と少なくとも85％同一なアミノ酸配列を含む、請求項1記載の薬学的調製物。
【請求項４】
誘導体が、以下を含む、野生型ケルベロスタンパク質のN末端切断誘導体である、請求項1記載の調製物：
(a) ヒトケルベロスの106〜119残基のいずれか1つに相当する位置から開始する配列；および
(b) ヒトケルベロスの240残基の後の任意の残基に相当する位置で終了する配列。
【請求項５】
誘導体が、高ストリンジェンシー条件下でヒトケルベロスまたはヒトココ(Coco)のコード配列にハイブリダイズするポリヌクレオチドによってコードされる、請求項1記載の調製物。
【請求項６】
ミオスタチンアンタゴニストタンパク質が、1μM以下のKdでミオスタチンと結合する、請求項1記載の調製物。
【請求項７】
ミオスタチンアンタゴニストタンパク質が、インビボ安定性、インビボ半減期、摂取/投与、組織局在性もしくは分布、タンパク質複合体の形成、および/または精製の1つまたは複数を増強する1つのさらなるポリペプチド部分を含む融合タンパク質である、請求項1記載の調製物。
【請求項８】
融合タンパク質が免疫グロブリンFcドメインを含む、請求項8記載の調製物。
【請求項９】
融合タンパク質が、エピトープタグ、FLAGタグ、ポリヒスチジン配列、およびGST融合物から選択される精製サブ配列を含む、請求項8記載の調製物。
【請求項１０】
ミオスタチンアンタゴニストタンパク質が、グリコシル化アミノ酸、PEG化アミノ酸、ファルネシル化アミノ酸、アセチル化アミノ酸、ビオチン化アミノ酸、脂質部分に結合したアミノ酸、および有機誘導体化剤に結合したアミノ酸から選択される1つまたは複数の修飾アミノ酸残基を含む、請求項1記載の調製物。
【請求項１１】
ミオスタチンアンタゴニストタンパク質が、A204レポーター遺伝子アッセイにおいてアクチビンAシグナル伝達を実質的に阻害しない、請求項1記載の調製物。
【請求項１２】
親和性試薬が抗体剤である、請求項1記載の調製物。
【請求項１３】
抗体剤が、組換え抗体；モノクローナル抗体；VHドメイン；VLドメイン；scFv；Fab断片；Fab'断片；F(ab')2；Fv；またはジスルフィド結合したFvである、請求項14記載の調製物。
【請求項１４】
抗体剤が、完全なヒト抗体もしくはヒト化キメラ抗体、またはそれらの抗原結合断片である、請求項15記載の調製物。
【請求項１５】
親和性試薬が、ミオスタチンに選択的に結合して、ALK7またはALK4受容体の結合と競合するペプチドまたは足場ペプチドである、請求項1記載の調製物。
【請求項１６】
親和性試薬がALK7またはALK4のミオスタチン結合ドメインである、請求項1記載の調製物。
【請求項１７】
親和性試薬が、ミオスタチンに選択的に結合して、ALK7またはALK4受容体の結合と競合する小有機分子である、請求項1記載の調製物。
【請求項１８】
以下を含む、哺乳動物における使用に適した薬学的調製物：
(1) 請求項1〜19のいずれか一項記載のミオスタチンアンタゴニストタンパク質のコード配列を含むベクター；
(2) 該哺乳動物の筋組織の成長を促進するのに有効な量で、インビボにおいて該ミオスタチンアンタゴニストタンパク質の発現をもたらす転写調節配列；および
(3) 薬学的に許容される担体。
【請求項１９】
動物の筋細胞または脂肪組織細胞におけるミオスタチンシグナル伝達を阻害するための薬剤の製造のための、請求項1記載の薬学的調製物の使用。
【請求項２０】
薬学的調製物が、代謝疾患の予防、改善、または重症度を軽減するのに有効である、請求項19記載の使用。
【請求項２１】
代謝疾患が肥満症またはII型糖尿病からなる群より選択される、請求項20記載の使用。
【請求項２２】
動物における脂肪生成分化を誘導するための薬剤の製造のための、請求項1〜18のいずれか一項記載の薬学的調製物の使用。
【請求項２３】
薬剤が、対象の体脂肪比率を下げるために使用される、請求項22記載の使用。
【請求項２４】
動物の筋組織の成長を促進するための薬剤を製造するための、請求項1〜18のいずれか一項記載の薬学的調製物の使用。
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
炎症性皮膚疾患及びそれと関連する症状を治療又は予防するための医薬組成物を調製するための、
α2アドレナリン受容体作動薬及びその薬学的に許容しうる塩の少なくとも1つの治療的に有効な量; 及び
薬学的に許容しうる担体
の使用であって、前記医薬組成物が、前記治療又は予防を必要としている患者の皮膚に局所投与されるものであり、ここで、炎症性皮膚疾患が酒さでない、前記使用。
【請求項２】
α2アドレナリン受容体作動薬及びその薬学的に許容しうる塩の少なくとも1つが下記に示される化合物からなる群より選ばれる、請求項1記載の使用。
【化１】
2008500356.tif 000001
(式中、R1、R2、R3は、各々独立して水素、ハロゲン、アルキル、又はアルコキシであり; R4、R5は、各々独立して水素、アルキル、又はアルコキシであり; R6、R7は、各々独立して水素、ニトロ、アルキル、又はアルコキシであり;
A1、A3、A4は、各々独立して水素又はアルキルであり; A2は、独立して水素又はヒドロキシであり;
B1、B2、B3は、各々独立して水素、ヒドロキシ、又はアルコキシであり; B4、B5は、各々独立して水素又はアルキルである。)
【請求項３】
化合物が、ブリモニジン、ナファゾリン、テトラヒドロザリン、オキシメタゾリン、キシロメタゾリン、エピネフリン、ノルエピネフリン、フェニルエフリン、及びメトキサミンからなる群より選ばれる、請求項2記載の使用。
【請求項４】
α2アドレナリン受容体作動薬及びその薬学的に許容しうる塩の少なくとも1つが、可逆的α2アドレナリン受容体作動薬又はその薬学的に許容しうる塩である、請求項1記載の使用。
【請求項５】
α2アドレナリン受容体作動薬及びその薬学的に許容しうる塩の少なくとも1つが、患者の動物の皮膚の小動脈又は細動脈を通る血流を減少させるのに充分な量で投与される、請求項1記載の使用。
【請求項６】
薬学的に許容しうる担体が、スプレー剤、ミスト剤、エアゾール剤、液剤、ローション剤、ゲル剤、クリーム剤、軟膏、パスタ剤、膏薬、乳剤、及び懸濁液剤からなる群より選ばれる、請求項1記載の使用。
【請求項７】
組成物が患者の皮膚に局所的に作用する、請求項1記載の使用。
【請求項８】
炎症性皮膚科的疾患の症状を治療又は予防するのに適した局所組成物であって、
α2アドレナリン受容体作動薬及びその薬学的に許容しうる塩の少なくとも1つ; 及び
薬学的に許容しうる担体
を含み、ここで、炎症性皮膚科的疾患が酒さでない、前記局所組成物。
【請求項９】
薬学的に許容しうる担体が、スプレー剤、ミスト剤、エアゾール剤、液剤、ローション剤、ゲル剤、クリーム剤、軟膏、パスタ剤、膏薬、乳剤、及び懸濁液剤からなる群より選ばれる、請求項8記載の局所組成物
【請求項１０】
α2アドレナリン受容体作動薬及びその薬学的に許容しうる塩の少なくとも1つが下記に示される化合物からなる群より選ばれる、請求項8記載の局所組成物。
【化２】
2008500356.tif 000002
(式中、R1、R2、R3は、各々独立して水素、ハロゲン、アルキル、又はアルコキシであり; R4、R5は、各々独立して水素、アルキル、又はアルコキシであり; R6、R7は、各々独立して水素、ニトロ、アルキル、又はアルコキシであり;
A1、A3、A4は、各々独立して水素又はアルキルであり; A2は、独立して水素又はヒドロキシであり;
B1、B2、B3は、各々独立して水素、ヒドロキシ、又はアルコキシであり; B4、B5は、各々独立して水素又はアルキルである。)
【請求項１１】
α2アドレナリン受容体作動薬及びその薬学的に許容しうる塩の少なくとも1つが、ブリモニジン、ナファゾリン、テトラヒドロザリン、オキシメタゾリン、キシロメタゾリン、エピネフリン、ノルエピネフリン、フェニルエフリン、及びメトキサミンからなる群より選ばれる、請求項8記載の局所組成物。
【請求項１２】
α2アドレナリン受容体作動薬及びその薬学的に許容しうる塩の少なくとも1つが、約0.01〜5質量パーセントの範囲の量で存在する、請求項8記載の局所組成物。
【請求項１３】
組成物のpＨ値が約5〜8の範囲にある、請求項8記載の局所組成物。
【請求項１４】
薬学的に許容しうる担体が水；及びカルボマー、グリセリンポリアクリレート、及びそれらの混合物からなる群より選ばれる薬学的に許容しうるゲル化剤の水-ゲル化量を含む水性ゲルであり、局所組成物が生理的に許容しうるpＨを有する、請求項9記載の局所組成物。
【請求項１５】
α2アドレナリン受容体作動薬及びその薬学的に許容しうる塩の少なくとも1つが、約0.01〜5質量パーセントの範囲の量で存在する、請求項14記載の局所組成物。
【請求項１６】
組成物のpＨ値が約5〜8の範囲にある、請求項14記載の局所組成物。
【請求項１７】
防腐剤を更に含む、請求項14記載の局所組成物。
【請求項１８】
局所麻酔剤を更に含む、請求項14記載の局所組成物。
【請求項１９】
皮膚保湿剤を更に含む、請求項14記載の局所組成物。
【請求項２０】
α2アドレナリン受容体作動薬及びその薬学的に許容しうる塩の少なくとも1つ及び薬学的に許容しうる担体を含む酒さ症状を治療又は予防するのに適した局所組成物のための包装であって、容器及び局所組成物の使用のための説明書を含む、前記包装。
【請求項２１】
薬学的に許容しうる担体が、ステアリン酸、ステアリルアルコール、セチルアルコール、グリセリン、及び水を含むクリーム及び軟膏の少なくとも1つであり、局所組成物が生理的に許容しうるpＨを有する、請求項9記載の局所組成物。
【請求項２２】
α2アドレナリン受容体作動薬及びその薬学的に許容しうる塩の少なくとも1つが約0.01〜5質量パーセントの範囲の量で存在する、請求項21記載の局所組成物。
【請求項２３】
組成物のpＨ値が約5〜8の範囲にある、請求項21記載の局所組成物。
【請求項２４】
防腐剤を更に含む、請求項21記載の局所組成物。
【請求項２５】
局所麻酔剤を更に含む、請求項21記載の局所組成物。
【請求項２６】
皮膚保湿剤を更に含む、請求項21記載の局所組成物。
【請求項２７】
α2アドレナリン受容体作動薬及びその薬学的に許容しうる塩の少なくとも1つが、適用される患者の皮膚の小動脈又は細動脈を通る血流を減少させるのに充分な濃度で供給される、請求項8記載の局所組成物。
【請求項２８】
組成物が患者の皮膚に局所的に作用する、請求項8記載の局所組成物。
【誤訳訂正書】
【提出日】平成20年1月11日(2008.1.11)
【誤訳訂正１】
【訂正対象書類名】特許請求の範囲
【訂正対象項目名】全文
【訂正方法】変更
【訂正の内容】
【特許請求の範囲】
【請求項１】
特定の気体に対して選択的な吸着特性を有する吸着剤に圧力差を加えて気体を分離する気体濃縮方法において、
第１吸着ベッドにおいて、その内部圧力を原料混合気体の圧力より低くして、混合気体を吸着ベッドの供給端部内に流入させ、吸着性の高い成分を優先的に吸着剤に吸着させ、第２吸着ベッドにおいて、その内部圧力を減少させて、吸着されていた成分を脱着させ、一方、前記第１吸着ベッドにおいて、より吸着性の低い成分を、第１吸着ベッドの生産端部を通して外部に排出して富化気体を生産し、前記富化気体の一部を、前記各吸着ベッドの生産端部間に連結された微細管を通して前記第２吸着ベッドの生産端部に供給する第１段階と；
前記第１吸着ベッドにおいて、その内部を供給端部から減圧し、吸着されていた成分を脱着させ、第２吸着ベッドにおいて、原料混合気体を供給して供給端部から加圧して吸着性の高い成分を吸着させ、この過程中に前記第１および第２吸着ベッドのそれぞれの生産端部から供給端部までの間には圧力勾配が存在していて、第１吸着ベッドの生産端部は第２吸着ベッドの生産端部より圧力が高くて、生産気体の一部が第１吸着ベッドの生産端部から第２吸着ベッドへ生産端部へ供給され、この過程中にも生産気体は連続的に生産され、第１吸着ベッドおよび第２吸着ベッドの生産端部から同時に富化ガスが生産される時期が存在する第２段階と；
第１吸着ベッドの生産端部と第２吸着ベッドの生産端部との圧力を前記第２段階と逆転して、第１段階と反対に、第１吸着ベッドでは脱着が行われ、第２吸着ベッドでは吸着が行われ、第２吸着ベッドの生産端部から生産される富化気体の一部が第１吸着ベッドの生産端部を通して供給されるとともに、第２吸着ベッドの生産端部から富化気体が生産される第３段階と；
前記第２段階と反対に、各吸着ベッド内の圧力勾配によって生産気体の一部が第２吸着ベッドの生産端部から第１吸着ベッドの生産端部へ供給され、第１吸着ベッドにおいて、原料混合気体の供給によって供給端部から加圧して吸着が行われ、第２吸着ベッドにおいて、供給端部から減圧して脱着が行われ、この過程中にも生産気体は連続的に生産され、第１吸着ベッドおよび第２吸着ベッドの生産端部から同時に生産される時期が存在する第４段階と；を含むことを特徴とする気体濃縮方法。
【請求項２】
混合気体は空気であり、吸着性の高い成分は窒素で、吸着性の低い成分は酸素であることを特徴とする請求項１記載の気体濃縮方法。
【請求項３】
吸着圧力は大気圧であり、脱着圧力は真空ポンプ手段によって決定される真空圧であることを特徴とする請求項１または２記載の気体濃縮方法。
【請求項４】
特定の気体に対して選択的な吸着特性を有する吸着剤に圧力差を加えて気体を分離する気体濃縮装置において、
混合気体から不純物をろ過するフィルターと；
前記吸着剤を有する２つ以上の吸着ベッドと；
前記吸着ベッド内に真空圧を加える真空ポンプ手段と；
前記真空ポンプ手段による真空圧と混合気体の圧力とを交互に吸着ベッドに加えるように流路を切り換える弁手段と；
生産端部を通過する生産気体を一方向に流し出すチェック弁と；
各吸着ベッドの生産端部を連結する微細管であって、微細管の両端はそれぞれ各吸着ベッドの生産端部とその生産端部に連結するチェック弁の間に連結されている、微細管と；  前記チェック弁を通過した生産気体を吸入して目的空間に噴射する気体吐出機と；を含み、
前記チェック弁の開閉真空圧を極めて低く設定し、吸着ベッドの混合空気供給端部の弁を、前記フィルターおよび前記真空ポンプ手段へ単純に流路を切り換えることにより、請求項１記載の気体濃縮方法における第１段階および第４段階を具現することを特徴とする気体濃縮装置。
【請求項５】
前記チェック弁と気体吐出機との間に調節手段を備え、吸着ベッドの生産端部から生産される生産気体の濃度および流量を調節することを特徴とする請求項４記載の気体濃縮装置。
【請求項６】
前記気体吐出機とフィルターとの間に混合空気調節手段を備え、前記生産気体との混合量を調節することにより、最終生産気体の濃度および流量を調節することを特徴とする請求項５記載の気体濃縮装置。
【請求項７】
前記真空ポンプ手段のモータに２つの真空ポンプヘッドを備えて前記真空ポンプ手段および前記気体吐出機をそれぞれ駆動することを特徴とする請求項４または５記載の気体濃縮装置。
【請求項８】
前記チェック弁は真空ゲージ圧５０ｍｍＨｇ以下の開閉真空圧を有し、前記気体吐出機は真空ゲージ圧２００ｍｍＨｇ以下の吸入真空圧を有する真空ポンプ手段であることを特徴とする請求項４または５記載の気体濃縮装置。
【請求項９】
前記弁手段は、モータによって駆動される流路付き回転板により流路が切り換えられる回転弁であることを特徴とする請求項４または５記載の気体濃縮装置。
【誤訳訂正２】
【訂正対象書類名】明細書
【訂正対象項目名】０００５
【訂正方法】変更
【訂正の内容】
【０００５】
例えば、図７に示す従来の方式（特開平０８−２３９２０４号公報）では、入力端部に多数の弁１４、１２ａ、１７ａ、１２ｂ、１７ｂを必要とするばかりでなく、生産端部にも多数の弁１１０ａ、１１０ｂを必要としている。また、吸着ベッドＡおよびＢの均圧ライン１１２には切換弁１１３が設けられている。しかも、均圧ライン１１２における切換弁１１３を迂回するように、絞り装置１１４を備える均圧迂回路ライン１１５が設けられていて、複雑な構造をなしている。
【誤訳訂正３】
【訂正対象書類名】明細書
【訂正対象項目名】００１０
【訂正方法】変更
【訂正の内容】
【００１０】
家庭用空気清浄器やエアコンと結合される小容量酸素濃縮器の場合、目的空間の最終的な酸素濃度は、人に快適感を与える２１〜２３％程度であるので、事実上産業用でのような高濃度は意味がないものである。さらに浄水器に適用する場合にも、５０％以上の酸素濃度であれば、十分溶存酸素量を増大させることができるとされている。したがって、小型機器にとっては、ＲＰＳＡの如き高生産量を達成できる工程を選択することが好ましい。
【誤訳訂正４】
【訂正対象書類名】明細書
【訂正対象項目名】００１１
【訂正方法】変更
【訂正の内容】
【００１１】
常圧以上で行なわれるＰＳＡの場合は、小型化する場合、効率はよいが、通常用いる圧力である２気圧乃至５気圧程度の圧力を使用すると、ポンプの騒音及び熱且つ耐久性問題が最も大きな問題として台頭し、室内家電用機器への適用が困難であるとされている。最近、米国特許第５，０７４，８９２号、米国特許第６，０１０，５５５号および米国特許第６，５０６，２３４号など吸脱着圧力比を最大限低減し、回収率を高める方法が提案されているが、それを達成するためには高性能の吸着剤が必要とされ、該吸着剤の再生問題に難があるため、その適用に限界がある。また、これらは小型機器および生産性に重点を置いたものであるとは言えないので、医療用には適しているが、小型家電機器には適していない。これらを小型家電に適用するためには、低電力で最大の生産性を上げる工程が必要になる。
【手続補正書】
【提出日】平成20年5月23日(2008.5.23)
【手続補正１】
【補正対象書類名】特許請求の範囲
【補正対象項目名】請求項１
【補正方法】変更
【補正の内容】
【請求項１】
画像内にあるオブジェクトをスケーリングする画像処理装置であり、
−マーカの既定された実際の寸法をキャリブレータに入力する入力部、及び
−前記マーカの実際の寸法と前記画像内にある前記マーカのピクセル単位での寸法との間の関係から決められるスケーリング係数に基づいて前記オブジェクトをスケーリングする前記キャリブレータ
を有する画像処理装置において、
前記画像処理装置は、フィーチャのピクセル単位での寸法を決めるための計測ツールに連結した図形テンプレートを用いて、前記画像内にある前記フィーチャを描写する画像処理ツールをさらに有し、前記キャリブレータはさらに前記フィーチャを前記マーカとして使用する画像処理装置。